(57)【要約】【課題】効率的な記憶学習を簡便に行うことができるヘッドフォン装置を提供すること。【解決手段】少なくとも、ヘッドフォンスピーカー２と、音声データを入力するマイク３と、外部音源再生装置４が接続可能なコネクタ４１と、音声データを保存可能な記憶装置５と、音声データの保存、再生を制御するための主装置６と、コントローラ７と、電源装置８を備え、マイクから入力された第１の音声データ、外部音源再生装置で再生された第２の音声データ、第１の音声データと第２の音声データを重ね合わせた音声データのいずれかをヘッドフォンスピーカーから出力する機能と、第１の音声データ、第２の音声データ、第１の音声データと第２の音声データを主装置でミキシングして生成させた第３の音声データを記憶装置に保存する機能と、コントローラの操作により、保存されている第１の音声データ、第２の音声データ及び第３の音声データのいずれかをヘッドフォンスピーカーから出力する機能を備えていることを特徴とする。【選択図】図１
2018077442.tif 000002
【特許請求の範囲】
【請求項１】
少なくとも、ヘッドフォンスピーカーと、
音声データを入力するマイクと、
外部音源再生装置が接続可能なコネクタと、
音声データを保存可能な記憶装置と、
音声データの保存、再生を制御するための主装置と、
コントローラと、
電源装置を備え、
前記マイクから入力された第１の音声データ、外部音源再生装置で再生された第２の音声データ、前記第１の音声データと前記第２の音声データを重ね合わせた音声データのいずれかを前記ヘッドフォンスピーカーから出力する機能と、
前記第１の音声データ、前記第２の音声データ、前記第１の音声データと前記第２の音声データを前記主装置でミキシングして生成させた第３の音声データを前記記憶装置に保存する機能と、
前記コントローラの操作により、保存されている前記第１の音声データ、前記第２の音声データ及び前記第３の音声データのいずれかを前記ヘッドフォンスピーカーから出力する機能を備えていることを特徴とするヘッドフォン装置。
【請求項２】
前記第１の音声データ、前記第２の音声データ及び前記第３の音声データが、各々複数のファイルとして前記記憶装置に保存可能であることを特徴とする請求項１に記載のヘッドフォン装置。
【請求項３】
前記コントローラの操作により、前記第１の音声データ、前記第２の音声データ及び前記第３の音声データの再生速度がコントロール可能であることを特徴とする請求項１又は２に記載のヘッドフォン装置。
【発明の詳細な説明】
【技術分野】
【０００１】  本発明は、ヘッドフォン装置に関し、詳しくは、記憶学習に好適に用いられるヘッドフォン装置に関する。
【背景技術】
【０００２】  従来より、記憶学習においては、記憶する事柄を繰り返し耳から聴いて記憶する学習方法と、記憶する事柄を自らの声として発して記憶する学習方法がある。耳から聴いて記憶する学習方法を実践する場合には、記憶する事項が録音された音声データを再生装置により繰り返し再生して聴くことによりなされ、自ら発声する学習方法においては、書籍等を読み上げることによりなされる。【０００３】  一方、特に効率的な記憶学習の方法として、記憶する事柄を耳から聴き、それに続けて発声する学習方法が考えられる。この学習方法は特に語学学習に好適に用いられる。この学習方法を実際に行う場合には、通常、記憶する事項が録音された音声データの再生をＯＮ／ＯＦＦして、出力された音声に合わせて発声することにより行う。
【発明の概要】
【発明が解決しようとする課題】
【０００４】  ここで、この学習方法の場合、自分で発声した音声を確認するためには、別に録音装置を用意して自分の声を録音する必要がある。そのため、再生装置と別の録音装置が必要になり、再生装置により再生された音声に合わせて発した自分の発声を同時に確認することが非常に面倒であった。【０００５】  そして、このような状況を簡便に実施することができる学習機器はこれまでに存在しておらず、その開発が望まれていた。【０００６】  本発明は、本発明は、上記従来の問題点に鑑みてなされたものであり、効率的な記憶学習を簡便に行うことができるヘッドフォン装置を提供することを課題とする。
【課題を解決するための手段】
【０００７】  即ち、本発明のヘッドフォン装置は以下のことを特徴としている。【０００８】  第１に、少なくとも、ヘッドフォンスピーカーと、音声データを入力するマイクと、外部音源再生装置が接続可能なコネクタと、音声データを保存可能な記憶装置と、音声データの保存、再生を制御するための主装置と、コントローラと、電源装置を備え、前記マイクから入力された第１の音声データ、外部音源再生装置で再生された第２の音声データ、前記第１の音声データと前記第２の音声データを重ね合わせた音声データのいずれかを前記ヘッドフォンスピーカーから出力する機能と、前記第１の音声データ、前記第２の音声データ、前記第１の音声データと前記第２の音声データを前記主装置でミキシングして生成させた第３の音声データを前記記憶装置に保存する機能と、前記コントローラの操作により、保存されている前記第１の音声データ、前記第２の音声データ及び前記第３の音声データのいずれかを前記ヘッドフォンスピーカーから出力する機能を備えていることを特徴とする。【０００９】  第２に、前記第１の発明のヘッドフォン装置において、前記第１の音声データ、前記第２の音声データ及び前記第３の音声データが、各々複数のファイルとして前記記憶装置に保存可能であることが好ましい。【００１０】  第３に、前記第１又は第２の発明のヘッドフォン装置において、前記コントローラの操作により、前記第１の音声データ、前記第２の音声データ及び前記第３の音声データの再生速度がコントロール可能であることが好ましい。
【発明の効果】
【００１１】  上記の本発明によれば、効率的な記憶学習を簡便に行うことができるヘッドフォン装置を提供することができる。
【図面の簡単な説明】
【００１２】
【図１】本発明のヘッドフォン装置の構成を示すブロック図である。
【図２】本発明のヘッドフォン装置の斜視写真である。
【図３】本発明のヘッドフォン装置の底面写真である。
【図４】本発明のヘッドフォン装置のコントローラの平面図である。
【発明を実施するための形態】
【００１３】  以下に本発明のヘッドフォン装置の実施形態について、図を用いて詳細に説明する。図１は本発明のヘッドフォン装置１の基本構成を示すブロック図であり、図２は本発明のヘッドフォン装置１の一実施形態を示す斜視写真、図３は底面写真、図４は、本発明のヘッドフォン装置１のコントローラ７の一実施形態を示す平面写真である。
【００１４】  本発明のヘッドフォン装置１は、少なくとも、ヘッドフォンスピーカー２と、音声データを入力するマイク３と、外部音源再生装置４が接続可能なコネクタ４１と、音声データを保存可能な記憶装置５と、音声データの保存、再生を制御するための主装置６と、コントローラ７と、電源装置８を備えている。
【００１５】  そして、マイク３から入力された第１の音声データ、外部音源再生装置４で再生された第２の音声データ、第１の音声データと第２の音声データを重ね合わせた音声データのいずれかをヘッドフォンスピーカー２から出力する機能を備えている。
【００１６】  また、第１の音声データ、第２の音声データ、第１の音声データと第２の音声データを主装置６でミキシングして生成させた第３の音声データを記憶装置５に保存する機能を備えている。さらに、コントローラ７の操作により、保存されている第１の音声データ、第２の音声データ及び第３の音声データのいずれかをヘッドフォンスピーカー２から出力する機能を備えている。
【００１７】  本実施形態のヘッドフォン装置１は、基本的に図１に示すブロック図の構成を有している。マイク３は、第１の音声データを入力するためのものであり、例えば、通常のヘッドセットに用いられている周囲の雑音を拾いにくいエレクトレットコンデンサー方式のノイズ低減高性能マイク３等を用いることができる。
【００１８】  外部音源再生装置４が接続可能なコネクタ４１は、ヘッドフォンスピーカー２及び主装置６と接続されており、コネクタ４１を介して外部音源再生装置４で再生させた第２の音声データを入力可能としている。
【００１９】  記憶装置５は、第１の音声データ、第２の音声データ、第１の音声データと第２の音声データを主装置６でミキシングして生成させた第３の音声データを保存可能としている。また、第２の音声データは、予めＰＣ等からケーブルや通信で転送、保存することもできる。
【００２０】  本発明で用いられる記憶装置５は、通常、電子データを保存、読み出し可能な記憶装置５であれば特に限定されるものではなく、例えば、ＳＤカード、ｍｉｃｒｏＳＤカード、ＵＳＢメモリ、ＨＤＤ、ＣＤ−ＲＷ、ＤＶＤ−ＲＷ等を用いることができる。これらの中でも、省スペース性、動作安定性等の観点から、ＳＤカード、ｍｉｃｒｏＳＤカードを特に好適に用いることができる。
【００２１】  また、記憶装置５に保存する音声データの形式は特に限定されるものではなく、例えばＷＡＶＥファイル、ＭＰ３ファイル等、通常、一般に用いられる音声データ形式のものが例示される。
【００２２】  主装置６は、第１の音声データを記憶装置５に保存する保存機能、第２の音声データを記憶装置５に保存する保存機能、第１の音声データと第２の音声データをミキシングして第３の音声データを生成して保存するミキシング保存機能、第２の音声データ、第２の音声データ、第３の音声データのいずれかを再生する再生機能を有している。
【００２３】  また、再生機能では、音声データの再生において、その再生速度を通常速度のほか、高速又は低速で再生する再生速度コントロール機能を備えている。高速又は低速の再生速度は段階的又は連続的に設定することができる。上記各機能による処理は、主装置６内に設けられたＣＰＵ６１及びメモリ６２により電気的に行われる。
【００２４】  また、主装置６には、音声データを増幅させて出力するアンプ６３が設けられている。アンプ６３の形式は特に限定されるものではなく、通常公知のアナログアンプやデジタルアンプを用いることができる。増幅された音声データはヘッドフォンスピーカー２から音声として出力される。
【００２５】  なお、アンプ６３にはボリューム調整器が設けられており、これによりヘッドフォンスピーカー２から出力される音声の音量を調整することができる。
【００２６】  また、主装置６には、使用用途に応じた機能を選択するモード選択ボタンが設けられている。モード選択ボタンは、第１の音声データ、第２の音声データ、第１の音声データと第２の音声データを重ね合わせた第３の音声データをヘッドフォンスピーカー２から出力する音読モード、第１の音声データのみを保存するモード、第２の音声データのみを保存するモード、第１の音声データと第２の音声データをミキシングして保存するモードが選択可能となっている。そして、モード選択ボタンを操作することにより、設定したモード選択ボタンに応じて主装置６のＣＰＵ６１が所定の処理を行う。
【００２７】  また、主装置６にはコントローラ７が接続されており、コントローラ７には録音、再生・一時停止、停止、高速再生、低速再生のボタンが設けられている。そして、コントローラの操作により、主装置６のＣＰＵ６１が所定の処理を行い、各音声データの保存、再生、再生速度のコントロールが行えるようになっている。
【００２８】  主装置６の作動は接続された電源装置８から給電される電気により行われる。電源装置８としては、一次電池や二次電池、また、一般の家庭用電源の交流１００Ｖを直流の適切な電圧に調整可能なＡＣ／ＤＣアダプター等からの電気を用いることができる。
【００２９】  また、本実施形態のヘッドフォン装置１には電源スイッチが設けられている。電源スイッチの位置は特に限定されるものではなく、例えば、ヘッドフォン装置１の本体やコントローラ７、また、マイク３に設けることができる。
【００３０】  以下に、上記構成の本実施形態のヘッドフォン装置１の操作について詳述する。
まず、記憶装置５をヘッドフォン装置１本体のスロットに装着し、コネクタ４１を介してＰＣやタブレット、スマートフォン等の外部音源再生装置４を接続した状態で電源スイッチをオンにする。そして、モード選択ボタンにより、音読モード、保存モードを選択する。
【００３１】  音読モードを選択した場合には、第１の音声データ、外部音源再生装置４で再生された第２の音声データ、第１の音声データと第２の音声データを重ね合わせた音声データのいずれかをヘッドフォンスピーカー２から出力して学習を始める。
【００３２】  保存モードを選択した場合には、マイク３から自分の声を発声して第１の音声データを保存するか、外部音源再生装置４を再生して第２の音声データのみを保存するか、第１の音声データと第２の音声データをミキシングして第３の音声データを保存する。保存は、コントローラ７の録音ボタンを押すことにより実行される。
【００３３】  上記の第１の音声データ、第２の音声データ、第３の音声データの録音に際しては、各音声データは一度主装置６内のメモリ６２に格納され、ＣＰＵ６１により第１の音声データ、第２の音声データ、第３の音声データの音声ファイルが生成される。そして、生成された音声データは記憶装置５に保存される。
【００３４】  なお、第２の音声データは、記憶装置５に予め第２の音声データを保存しておくこともできる。第２の音声データの保存は、外部音源再生装置４に保存されている音声データをＵＳＢケーブル等でコネクタ４１に接続したり、通信によって転送して記憶装置５に保存することができる。
【００３５】  ここで、各音声データは、記憶装置５に１つの音声ファイルとして保存され、新しく生成された音声ファイルは上書きされる。即ち、録音された音声データは常に１つの最新の音声データとして保存される。
【００３６】  なお、本実施形態のヘッドフォン装置１においては、生成した第１の音声データ、第２の音声データ及び第３の音声データは複数のファイルとして記憶装置５に保存可能とすることもできる。これにより、学習の履歴を保存することができ、学習による上達状況を確認することが可能となる。
【００３７】  次に、録音して保存した第１の音声データ、第２の音声データ又は第３の音声データをコントローラ７の再生ボタンにより再生する。第１の音声データの再生により録音した自分の声を確認することができ、第２の音声データの再生により、外部音源再生装置４に保存された音声を聞いて学習することができる。また、第３の音声データの再生により、第２の音声データと自分の声である第１の音声データとの違いを確認して学習することができる。
【００３８】  また、本実施形態のヘッドフォン装置１においては、コントローラ７の操作により、第１の音声データ、第２の音声データ、第３の音声データの再生速度をコントロールすることができる。再生速度のコントロールは、コントローラ７の再生速度を操作することにより、低速から高速まで段階的あるいは連続的に変化させることができる。
これにより、さらに細かく音声を確認して学習することができる。
【符号の説明】
【００３９】    １  ヘッドフォン装置
２  ヘッドフォンスピーカー
３  マイク
４  外部音源再生装置
４１  コネクタ
５  記憶装置
６  主装置
６１  ＣＰＵ
６２  メモリ
６３  アンプ
７  コントローラ
８  電源装置
【図１】
2018077442.tif 000003
【図２】
2018077442.tif 000004
【図３】
2018077442.tif 000005
【図４】
2018077442.tif 000006